(57)【特許請求の範囲】
【請求項１】
本体ケースと、
この本体ケースに設けられ、パチンコ玉が通過するパチンコ玉通路と、
このパチンコ玉通路に対応するように設置される第１検出コイルと、
この第１検出コイルを共振要素とした第１発振回路と、
パチンコ玉が前記パチンコ玉通路を通過するときの前記第１発振回路の発振周波数の変化を検出する第１周波数検出手段と、
前記パチンコ玉通路を挟んで前記第１検出コイルと対向する位置に設置される第２検出コイルと、
この第２検出コイルを共振要素とすると共に前記第１発振回路とは異なる発振周波数に設定された第２発振回路と、
パチンコ玉が前記パチンコ玉通路を通過するときの前記第２発振回路の発振周波数の変化を検出する第２周波数検出手段と、
前記第１周波数検出手段及び第２周波数検出手段の双方が検出状態となったときのみパチンコ玉の検出信号を出力する信号発生手段と、
を備えたことにより、シールド部材を用いることなく外来電波に起因する誤動作を防止できるようにしたことを特徴とするパチンコ玉検出装置。
【発明の詳細な説明】
【０００１】
【発明の属する技術分野】
本発明は、パチンコ玉の通過の有無をコイルを利用して非接触検出するようにしたパチンコ玉検出装置に関する。
【０００２】
【従来の技術】
パチンコ遊技機においては、セーフ孔に入賞したパチンコ玉を非接触状態で検出するためのパチンコ玉検出装置として、近接スイッチを設けることが一般化しており、この場合には、パチンコ玉の近接に応じてインダクタンスが変化するように配置された検出コイルを利用することが行われている。
【０００３】
具体的には、従来の近接スイッチは、パチンコ玉が通過する通過孔を有した本体部に対して、その通過孔に近接配置された検出コイルと、この検出コイルのインダクタンス変化を検出する電子回路とを設けることが行われており、上記電子回路は、検出コイル及びコンデンサを共振要素とした発振回路と、この発振回路の発振周波数の変化を検出可能な周波数検出回路（検波回路）と、この周波数検出回路の出力を受ける信号発生回路を含んだ構成とされる。
【０００４】
この場合、一般的には、上記発振回路は、通過孔にパチンコ玉が存在しない状態で共振状態を呈すると共に、パチンコ玉が通過孔を通過するときの検出コイルのインダクタンス変化に応じて発振停止状態を呈するように設定され、斯様な発振回路の発振周波数の変化を前記周波数検出手段を通じて検出したときに、信号発生回路からパチンコ玉の検出信号を出力するように構成される。
【０００５】
【発明が解決しようとする課題】
上記のような近接スイッチにあっては、検出コイルが用いられている関係上、外来電波などによるノイズ対策が必要となる。このため、従来では、全体をシールド部材により遮蔽したり、或いは発振回路の発振周波数を外来電波の影響を受けにくい帯域に設定することが行われている。
【０００６】
しかしながら、シールド部材を用いる方法では、通過孔に対応した部分、つまり検出コイル対応部分を開口しなければならず、十分なノイズ遮蔽効果を期待できない。しかも、シールド部材が検出コイルに近接した形状となっていた場合には、通過孔をパチンコ玉が通過するときの検出コイルのインダクタンス変化量が小さくなるため、検出分解能の低下を招くという欠点があり、かといって、シールド部材を検出コイルから離間させた形状とした場合には、全体の大型化を招くという新たな問題点が出てくる。
【０００７】
また、発振回路の発振周波数を前述のような帯域に設定する構成とした場合でも、以下のような問題点が発生している。つまり、近年では、携帯電話の普及が目覚ましく、パチンコ遊技機の遊技客が携帯していることも珍しくなくなっている。これに伴い、携帯電話がパチンコ遊技機の近傍で使用されることに起因して、前記近接スイッチが誤作動する事態が発生することがある。このような誤作動の原因は、携帯電話からの電波（基本波及び高調波）が広い範囲に渡るため、前述のように、発振回路の発振周波数を外来電波の影響を受けにくい帯域に設定した場合でも、検出コイルを通じて発振回路の発振出力に干渉し、このような干渉に応じて発振回路が疑似発振停止状態となって、前記信号発生回路から検出信号が誤って出力されることにあると考えられる。
【０００８】
本発明は上記事情に鑑みてなされたものであり、その目的は、検出コイルのインダクタンス変化により通過パチンコ玉の検出を行う構成のものでありながら、外来電波に起因した誤作動を全体の大型化を抑止しながら効果的に防止できるようになるパチンコ玉検出装置を提供することにある。
【０００９】
【課題を解決するための手段】
本発明によるパチンコ玉検出装置は、上記目的を達成するために、本体ケースと、この本体ケースに設けられ、パチンコ玉が通過するパチンコ玉通路と、このパチンコ玉通路に対応するように設置される第１検出コイルと、この第１検出コイルを共振要素とした第１発振回路と、パチンコ玉が前記パチンコ玉通路を通過するときの前記第１発振回路の発振周波数の変化を検出する第１周波数検出手段と、前記パチンコ玉通路を挟んで前記第１検出コイルと対向する位置に設置される第２検出コイルと、この第２検出コイルを共振要素とすると共に前記第１発振回路とは異なる発振周波数に設定された第２発振回路と、パチンコ玉が前記パチンコ玉通路を通過するときの前記第２発振回路の発振周波数の変化を検出する第２周波数検出手段と、前記第１周波数検出手段及び第２周波数検出手段の双方が検出状態となったときのみパチンコ玉の検出信号を出力する信号発生手段とを備えたことにより、シールド部材を用いることなく外来電波に起因する誤動作を防止できるようにしたものである。
【００１４】
この構成によれば、パチンコ玉がパチンコ玉通路を通過するときに、第１検出コイル及び第２検出コイルのインダクタンス変化に応じて、第１発振回路及び第２発振回路の発振周波数が変化し、それらの変化状態が第１周波数検出手段及び第２周波数検出手段により検出されるようになる。このように、前記第１周波数検出手段及び第２周波数検出手段の双方が検出状態となったときには、信号発生手段がパチンコ玉の検出信号を出力するようになり、以てパチンコ玉がパチンコ玉通路を通過した旨の検知が行われるようになる。この場合、第１検出コイル及び第２検出コイルは、前記パチンコ玉通路を挟んで互いに対向する位置に設置された状態となっているから、第１検出コイル及び第２検出コイル間での相互誘導の影響が小さくなり、パチンコ玉検出の分解能低下を抑制できるようになる。
【００１５】
上記第１発振回路及び第２発振回路は、各発振周波数が互いに異なるように構成されているから、外来電波が第１検出コイル及び第２検出コイルを通じて各発振回路の発振出力に干渉した場合において、それらの発振周波数が同時に変化する可能性が低くなって、信号発生手段から検出信号が出力される虞が少なくなるから、結果的に、外来電波に起因した誤作動を効果的に防止できることになる。また、ノイズ対策のために従来構成のようなシールド部材を設ける必要がなくなるから、そのシールド部材の存在に起因して装置全体が大型化する事態を抑止可能になる。
【００２１】
【発明の実施の形態】
以下、本発明をパチンコ遊技機に使用される近接センサに適用した場合の参考実施例である第１実施例について、図１〜図３を参照しながら説明する。
図２には、近接センサ１（パチンコ玉検出装置に相当）の外観が示されている。この図２において、近接センサ１は矩形状の本体ケース２を有し、この本体ケース２には、パチンコ玉が通過する通過孔３（パチンコ玉通路に相当）が設けられている。本体ケース２における通過孔３と反対側の端面からは、内部に収納されたプリント配線基板４の端部が突出されており、この突出部分に配線パターンによる一対のターミナル（図１に符号４ａ、４ｂを付して示す）が設けられている。
【００２２】
図１には、近接センサ１及びこれの出力を受ける信号処理回路５の電気的構成が示されており、以下これについて説明する。尚、近接センサ１は、ターミナル４ａ、４ｂ間から電源供給を受けると共に、ターミナル４ｂからセンシング信号を出力する所謂直流２線式に構成されている。
【００２３】
検出コイル６は、例えばチップインダクタにより構成されたもので、図３に示すように、前記通過孔３に側方から対応した位置に設置されている。発振回路７は、上記検出コイル６及び図示しないコンデンサを共振要素としたもので、通過孔３にパチンコ玉が存在しない状態で共振状態を呈すると共に、パチンコ玉が通過孔３を通過するときの検出コイル６のインダクタンス変化に応じて発振停止状態を呈するように設定されている。
【００２４】
検波回路８は、発振回路７の発振周波数の変化状態を検出するように設けられており、そのエンベロープ出力波形が波形整形回路９により矩形波信号に変換される構成となっており、その変換出力は無効化手段たる判定回路１０の入力端子Ｑ１に与えられる構成となっている。
【００２５】
従って、発振回路７が共振状態にある場合、つまり、通過孔３にパチンコ玉が存在しない通常状態にある場合には、波形整形回路９からハイレベル信号が出力されて判定回路１０の入力端子Ｑ１に与えられる。また、発振回路７が発振停止状態になった場合、つまり、パチンコ玉が通過孔３を通過する状態にある場合には、波形整形回路９からローレベル信号が出力されて判定回路１０の入力端子Ｑ１に与えられることになる。
【００２６】
補助検出コイル１１も、チップインダクタにより構成されたもので、図３に示すように、前記通過孔３及び検出コイル６から所定寸法以上離間した位置に設置されている。この場合、検出コイル６及び補助検出コイル１１は、互いの間で相互誘導現象が発生しにくい位置関係、例えば各コイル６及び１１の中心軸が互いに直交する位置関係に設置されている。
【００２７】
補助発振回路１２は、上記補助検出コイル１１及び図示しないコンデンサを共振要素としたもので、その発振周波数は、前記発振回路７の発振周波数と同等の範囲となるように設定されている。
【００２８】
補助検波回路１３（周波数検出手段に相当）は、補助発振回路１２の発振周波数の変化状態を検出するように設けられており、そのエンベロープ出力波形が補助波形整形回路１４により矩形波信号に変換される構成となっており、その変換出力は前記判定回路１０の入力端子Ｑ２に与えられる構成となっている。
【００２９】
従って、補助発振回路１２が共振状態にある場合には、補助波形整形回路１４からハイレベル信号が出力されて判定回路１０の入力端子Ｑ２に与えられ、また、補助発振回路１２が発振停止状態になった場合には、補助波形整形回路１４からローレベル信号が出力されて判定回路１０の入力端子Ｑ２に与えられることになる。
【００３０】
上記判定回路１０は、入力端子Ｑ２にハイレベル信号が与えられている状態で入力端子Ｑ１にローレベル信号が与えられた場合のみ出力端子Ｐからローレベル信号を出力すると共に、この他の状態では、出力端子Ｐからハイレベル信号を出力する構成となっており、その判定回路１０の端子Ｐからの出力信号は、前記ターミナル４ｂを通じて前記信号処理回路５に与えられる構成となっている。
【００３１】
信号処理回路５は、ターミナル４ｂからの出力信号を分圧する分圧回路５ａと、この分圧回路５ａの出力を受ける積分回路５ｂと、この積分回路５ｂの出力及び基準電圧（５Ｖ）を受けるＡＮＤ回路５ｃとを備えた構成となっている。この場合、ＡＮＤ回路５ｃは、ターミナル４ｂからハイレベル信号が出力された状態にあるときには、ハイレベル信号を出力しているが、ターミナル４ｂからローレベル信号が出力されたときには、ローレベル信号より成るパチンコ玉検出信号を出力することになる。
【００３２】
次に、上記構成の作用について説明する。即ち、通過孔３にパチンコ玉が存在しない通常状態にある場合には、発振回路７が共振状態にあるため、波形整形回路９からハイレベル信号が出力されて判定回路１０の入力端子Ｑ１に与えられている。また、補助発振回路１２も共振状態にあるため、補助波形整形回路１４からハイレベル信号が出力されて判定回路１０の入力端子Ｑ２に与えられている。このため、判定回路１０にあっては、出力端子Ｐからハイレベル信号を出力した状態を保持するようになり、このハイレベル信号をターミナル４ｂを通じて受けた信号処理回路５は、ハイレベル信号を出力した状態を保持するようになる。
【００３３】
このような状態から、パチンコ玉が通過孔３を通過したときには、これに伴う検出コイル６のインダクタンス変化に応じて発振回路７が発振停止状態を呈するようになるため、波形整形回路９からローレベル信号が出力されて判定回路１０の入力端子Ｑ１に与えられることになる。この場合には、通過孔３から所定距離以上離間した配置された補助検出コイル１１に対しては、パチンコ玉の通過に応じた影響が及ぶことがないため、補助発振回路１２は共振状態を保持するようになり、このため、補助波形整形回路１４からハイレベル信号が出力されて判定回路１０の入力端子Ｑ２に与えられている。
【００３４】
判定回路１０は、上記のように入力端子Ｑ２にハイレベル信号が与えられ、且つ入力端子Ｑ１にローレベル信号が与えられた場合のみ出力端子Ｐからローレベル信号を出力する構成となっており、このローレベル信号をターミナル４ｂを通じて受けた信号処理回路５は、ローレベル信号より成るパチンコ玉検出信号を出力するようになり、以てパチンコ玉が通過孔３を通過した状態が検出されることになる。
【００３５】
一方、通過孔３にパチンコ玉が存在しない状態で、外来電波が、検出コイル６を通じて発振回路７の発振出力に干渉したときには、発振回路７の発振周波数が変化することがあり、このような状況となった場合には、通常であれば、波形整形回路９からローレベル信号が出力されて、判定回路１９からローレベル信号が出力されることになるため、近接センサ１が誤作動することになる。
【００３６】
しかし、発振回路７と同等の発振周波数に設定された補助発振回路１２を設けた本実施例の構成によれば、発振回路７の発振周波数が外来電波により変化するような状況となったときには、その外来電波が補助検出コイル１１を通じて補助発振回路１２の発振出力にも干渉することになって、当該補助発振回路１２の発振周波数も前記発振回路７と同様に変化するため、補助波形整形回路１４からローレベル信号が出力されるようになる。
【００３７】
すると、そのローレベル信号を出力端子Ｑ２に受けた判定回路１０は、出力端子Ｐからハイレベル信号を出力した状態を保持するようになるため、信号処理回路５からパチンコ玉検出信号が出力されることがなくなる。つまり、判定回路１０が、波形整形回路９からの出力を無効化するようになるから、結果的に、外来電波の影響により近接センサ１が誤作動する虞がなくなる。尚、この場合には、携帯電話などからの比較的弱い電波の他に、故意に放射される大電力の外来電波に対しても誤作動する虞がなくなるものである。また、従来のようにシールド部材を用いる必要がないから、全体の大型化を極力抑止できるものである。
【００３８】
尚、上記実施例では、本体ケース２に通過孔３を設ける構成としたが、この通過孔３は必要に応じて設ければ良く、要は、検出コイル６がパチンコ玉通路と対応する位置に存在すれば良いものである。
【００３９】
ここで、上記第１実施例では、チップインダクタより成る検出コイル６を利用する構成としたが、図４に示すように、通過孔３を囲むように配置されたループ状のコイルを検出コイル６′として利用する構成としても良いものである。尚、この場合にも、補助検出コイル１１は、上記検出コイル６′との間で相互誘導現象が発生しにくい位置関係に設置されるものである。
【００４０】
図５及び図６には本発明をパチンコ遊技機で使用される近接センサに適用した実施例である第２実施例が示されており、以下これについて前記第１実施例と異なる部分のみ説明する。
この第２実施例による近接センサ１′は、図６に示すように、それぞれチップインダクタにより構成された第１検出コイル１５及び第２検出コイル１６を、通過孔３を挟んで互いに対向する位置に設置した構成となっている。
【００４１】
図５には、近接センサ１′及びこれの出力を受ける信号処理回路５の電気的構成が示されており、以下これについて説明する。尚、本実施例においても、近接センサ１′は、ターミナル４ａ、４ｂ間から電源供給を受けると共に、ターミナル４ｂからセンシング信号を出力する直流２線式に構成されている。
【００４２】
第１発振回路１７は、前記第１検出コイル１５及び図示しないコンデンサを共振要素としたもので、通過孔３にパチンコ玉が存在しない状態で共振状態を呈すると共に、パチンコ玉が通過孔３を通過するときの第１検出コイル１５のインダクタンス変化に応じて発振停止状態を呈するように設定されている。
【００４３】
第１検波回路１８（第１周波数検出手段に相当）は、第１発振回路１７の発振周波数の変化状態を検出するように設けられており、そのエンベロープ出力波形が第１波形整形回路１９により矩形波信号に変換される構成となっており、その変換出力は信号発生手段たる判定回路２０の入力端子Ｑ１に与えられる構成となっている。
【００４４】
従って、第１発振回路１７が共振状態にある場合、つまり、通過孔３にパチンコ玉が存在しない通常状態にある場合には、第１波形整形回路１９からハイレベル信号が出力されて判定回路２０の入力端子Ｑ１に与えられる。また、第１発振回路１７が発振停止状態になった場合、つまり、パチンコ玉が通過孔３を通過する状態にある場合には、第１波形整形回路１９からローレベル信号が出力されて判定回路２０の入力端子Ｑ１に与えられることになる。
【００４５】
第２発振回路２１は、前記第２検出コイル１６及び図示しないコンデンサを共振要素としたもので、通過孔３にパチンコ玉が存在しない状態で共振状態を呈すると共に、パチンコ玉が通過孔３を通過するときの第２検出コイル１６のインダクタンス変化に応じて発振停止状態を呈するように設定されている。
【００４６】
この場合、第２発振回路２１は、前記第１の発振回路１７と異なる発振周波数となるように設定されている。具体的には、第１発振回路１７及び第２発振回路２１の各発振周波数は、互いに非整数倍の関係となるように設定される。
【００４７】
第２検波回路２２（第２周波数検出手段に相当）は、第２発振回路２１の発振周波数の変化状態を検出するように設けられており、そのエンベロープ出力波形が第２波形整形回路２３により矩形波信号に変換される構成となっており、その変換出力は前記判定回路２０の入力端子Ｑ２に与えられる構成となっている。
【００４８】
従って、第２発振回路２１が共振状態にある場合、つまり、通過孔３にパチンコ玉が存在しない通常状態にある場合には、第２波形整形回路２３からハイレベル信号が出力されて判定回路２０の入力端子Ｑ２に与えられる。また、第２発振回路２１が発振停止状態になった場合、つまり、パチンコ玉が通過孔３を通過する状態にある場合には、第２波形整形回路２３からローレベル信号が出力されて判定回路２０の入力端子Ｑ２に与えられることになる。
【００４９】
上記判定回路２０は、入力端子Ｑ１及びＱ２の双方にハイレベル信号が与えられた場合のみ出力端子Ｐからローレベル信号を出力する構成となっており、この他の状態では、出力端子Ｐからハイレベル信号を出力する構成となっており、その判定回路２０の端子Ｐからの出力信号は、前記ターミナル４ｂを通じて前記信号処理回路５に与えられる構成となっている。
【００５０】
この構成の結果、信号処理回路５は、第１の発振回路１９及び第２発振回路２１の双方が発振停止状態となった場合のみ、ローレベル信号より成るパチンコ玉検出信号を出力することになる。
【００５１】
次に、上記構成の作用について説明する。即ち、通過孔３にパチンコ玉が存在しない通常状態にある場合には、第１発振回路１７及び第２発振回路２１が共振状態にあるため、第１波形整形回路１９及び第２波形整形回路２３の双方からハイレベル信号が出力される。
【００５２】
従って、判定回路２０は、入力端子Ｑ１及びＱ２にハイレベル信号を受けた状態となるから、出力端子Ｐからハイレベル信号を出力した状態を保持するようになり、このハイレベル信号をターミナル４ｂを通じて受けた信号処理回路５は、ハイレベル信号を出力した状態を保持するようになる。
【００５３】
このような状態から、通過孔３をパチンコ玉が通過したときには、これに伴う第１検出コイル１５及び第２検出コイル１６のインダクタンス変化に応じて、第１発振回路１７及び第２発振回路２１が発振停止状態を呈するようになるため、第１波形整形回路１９及び第２波形整形回路２１の双方からローレベル信号が出力されて、判定回路２０の入力端子Ｑ１及びＱ２に与えられることになる。
【００５４】
すると、判定回路２０からローレベル信号が出力されるため、このローレベル信号をターミナル４ｂを通じて受けた信号処理回路５は、ローレベル信号より成るパチンコ玉検出信号を出力するようになり、以てパチンコ玉が通過孔３を通過した状態が検出されることになる。
【００５５】
この場合、第１発振回路１７及び第２発振回路２１は、各発振周波数が互いに異なるように構成されているから、外来電波が第１検出コイル１５及び第２検出コイル１６を通じて各発振回路１７及び２１の発振出力に干渉した場合において、それらの発振周波数が同時に変化する可能性が低くなる。このため、判定回路２０からパチンコ玉検出信号が出力される虞が少なくなるから、結果的に、外来電波に起因した誤作動を効果的に防止できることになる
また、第１発振回路１７及び第２発振回路２１の各発振周波数は、互いに非整数倍の関係となるように設定されているから、外来電波の高調波の影響によりそれら第１発振回路１７及び第２発振回路２１の発振周波数が同時に変化する事態が未然に阻止されることになり、以て外来電波に起因した誤作動の防止機能を確実に発揮できるようになる。
【００５６】
さらに、第１検出コイル１５及び第２検出コイル１６は、通過孔３を挟んで互いに対向する位置に設置されてるから、それら第１検出コイル１５及び第２検出コイル１６間での相互誘導の影響が小さくなって、パチンコ玉検出の分解能低下を抑制できるようになる。また、前記第１実施例と同様に、シールド部材を用いる必要がないから、全体の大型化を極力抑止できるものである。
【００５７】
ここで、上記第２実施例では、第１検出コイル１５及び第２検出コイル１６を双方ともチップインダクタにより構成したが、近接センサ１′を側方から見た状態でのコイル配置を表現した図７に示すように、第２検出コイル１６に代えて、通過孔３を囲むように配置されたループ状のコイルにより構成した第２検出コイル１６′を設けるようにしても良いものである。
【００５８】
尚、この場合には、第１検出コイル１５は、上記第２検出コイル１６′との間で相互誘導現象が発生しにくい位置関係に設置されるものであり、この構成によれば、第１検出コイル１５及び第２検出コイル１６′間での相互誘導に起因して、パチンコ玉検出の分解能が低下する事態を未然に防止できるようになる。
【００５９】
上記のように第１検出コイル１５及び第２検出コイル１６′を設ける場合には、図８及び図９に示す本発明を近接センサに適用した他の実施例である第３実施例のように構成しても良いものであり、以下これについて前記第１実施例と異なる部分のみ説明する。
【００６０】
この第３実施例による近接センサ１″は、図９に示すように、チップインダクタにより構成された第３検出コイル２４を、通過孔３及び各検出コイル１５、１６′から所定寸法以上離間した位置に設置されている。この場合、第１〜第３の各検出コイル１５、１６′及び２４は、互いの間で相互誘導現象が発生しにくい位置関係、例えば各コイル１５、１６′及び２４の中心軸が互いに直交する位置関係に設置されている。
【００６１】
図８には、近接センサ１″及びこれの出力を受ける信号処理回路５の電気的構成が示されており、以下これについて説明する。尚、本実施例においても、近接センサ１″は、ターミナル４ａ、４ｂ間から電源供給を受けると共に、ターミナル４ｂからセンシング信号を出力する直流２線式に構成されている。
【００６２】
第３発振回路２５は、前記第３検出コイル２４及び図示しないコンデンサを共振要素としたもので、通過孔３にパチンコ玉が存在しない状態で共振状態を呈すると共に、パチンコ玉が通過孔３を通過するときの第３検出コイル２４のインダクタンス変化に応じて発振停止状態を呈するように設定されている。
【００６３】
第３検波回路２６（第３周波数検出手段に相当）は、第３発振回路２５の発振周波数の変化状態を検出するように設けられており、そのエンベロープ出力波形が第３波形整形回路２７により矩形波信号に変換される構成となっており、その変換出力は信号発生手段たる判定回路２０′の入力端子Ｑ３に与えられる構成となっている。
【００６４】
従って、第３発振回路２５が共振状態にある場合には、第３波形整形回路２７からハイレベル信号が出力されて判定回路２０′の入力端子Ｑ３に与えられ、また、第３発振回路２５が発振停止状態になった場合には、第３波形整形回路２７からローレベル信号が出力されて判定回路２０′の入力端子Ｑ３に与えられることになる。
【００６５】
この場合、上記判定回路２０′は、入力端子Ｑ３にローレベル信号が与えられている状態（第３検波回路２６の非検出状態）において入力端子Ｑ１及びＱ２の双方にハイレベル信号が与えられた場合のみ出力端子Ｐからローレベル信号を出力する構成となっており、この他の状態では、出力端子Ｐからハイレベル信号を出力する構成となっている。
【００６６】
従って、この構成によれば、大電力の外来電波に起因して第１発振回路１７及び第２発振回路２１の発振周波数が同時に変化した場合には、第３の発振回路２５の発振周波数も変化することになるため、判定回路２０′からパチンコ玉の検出を示すローレベル信号が出力される虞がなくなり、従って、携帯電話などからの比較的弱い電波の他に、大電力の電波が故意に放射されることに起因した誤作動も確実に防止できるものである。
【００６７】
【発明の効果】
本発明によれば以上の説明によって明らかなように、検出コイルのインダクタンス変化により通過パチンコ玉の検出を行う構成のものでありながら、複数の検出コイル及び発振回路を設けるなどの構成とすることによって、外来電波に起因した誤作動を全体の大型化を抑止しながら効果的に防止できるという有益な効果を奏するものである。
【図面の簡単な説明】
【図１】  本発明の参考実施例である第１実施例を示す電気的構成図
【図２】近接センサの斜視図
【図３】コイル配置を説明するための摸式的平面図
【図４】変形例を示す図３相当図
【図５】  本発明をパチンコ遊技機で使用される近接センサに適用した実施例である第２実施例を示す図１相当図
【図６】図３相当図
【図７】コイル配置を説明するための摸式的側面図
【図８】  本発明をパチンコ遊技機で使用される近接センサに適用した他の実施例である第３実施例を示す図１相当図
【図９】図７相当図
【符号の説明】
図面中、１、１′、１″は近接センサ（パチンコ玉検出装置）、２は本体ケース、３は通過孔（パチンコ玉通路）、５は信号処理回路、６、６′は検出コイル、７は発振回路、１０は判定回路（無効化手段）、１１は補助検出コイル、１２は補助発振回路、１３は補助検波回路（周波数検出手段）、１５は第１検出コイル、１６、１６′は第２検出コイル、１７は第１発振回路、１８は第１検波回路（第１周波数検出手段）、２０、２０′は判定回路（信号発生手段）、２１は第２発振回路、２２は第２検波回路（第２周波数検出手段）、２４は第３検出コイル、２５は第３発振回路、２６は第３検波回路（第３周波数検出手段）を示す。
【図１】
0003917203.tif 000002
【図２】
0003917203.tif 000003
【図３】
0003917203.tif 000004
【図４】
0003917203.tif 000005
【図５】
0003917203.tif 000006
【図６】
0003917203.tif 000007
【図７】
0003917203.tif 000008
【図８】
0003917203.tif 000009
【図９】
0003917203.tif 000010